(57)【要約】【課題】電子機器本体をスタンドを用いて載置面に傾斜させて使用する際に意匠性に優れ、かつ壁に取り付けて使用する際にはスタンドと電子機器本体とが外れることなく安定して取り付けることができる電子機器の支持機構を提供する。【解決手段】筐体１０に回動可能に支持されるスタンド３０の前面３３を平面状に形成するとともに、スタンド３０を開いて傾斜支持に用いる際の上下一対の壁掛用取付部１３、２２のうちの上側の壁掛用取付部２２をスタンド３０の後面３４に設けるとともに立壁Ｗに取り付けるときにスタンド３０を閉じた状態で固定する回動規制部２５を設けた。また、スタンド３０は、筐体１０に設けられた軸受部２３により回動可能に支持された回動軸３１を有するとともに、水平な載置面Ｆに対して所定の傾斜角度を選択して傾斜支持する。【選択図】  図１
2018181994.tif 000002
【特許請求の範囲】
【請求項１】
電子機器本体の底面から突出して、立壁に取り付けられている上下一対の取付具に係止される一対の壁掛用取付部と、
前記電子機器本体に設けられた軸受部により回動可能に支持された回動軸を有するとともに、水平な載置面に対して所定の傾斜角度を選択して傾斜支持するスタンドと、を有し、
前記スタンドを開いて傾斜支持に用いる際の前記スタンドの前面を平面状に形成し、前記上下一対の壁掛用取付部のうちの上側の壁掛用取付部を前記スタンドの後面に設けるとともに前記軸受部に前記立壁に取り付けるときに前記スタンドを閉じた状態で固定する回動規制部を設けたことを特徴とする電子機器の支持機構。
【請求項２】
請求項１に記載の電子機器の支持機構において、
前記スタンドは、前記電子機器本体の底面に設けられている回転中心を中心として０°から所定角度まで回動可能であるとともに、０°及び複数の所定角度で固定可能であることを特徴とする電子機器の支持機構。
【請求項３】
請求項１または請求項２に記載の電子機器の支持機構において、
前記スタンドは前記回転中心に沿った方向に往復移動可能であり、
前記スタンドを前記回転中心に沿って一方の側へ移動させたときには傾斜角度０°で固定するとともに、前記回転中心に沿って他方の側へ移動させたときには所定の傾斜角度で固定可能であることを特徴とする電子機器の支持機構。
【発明の詳細な説明】
【技術分野】
【０００１】
本発明は、壁掛使用及び載置面に対して傾斜して使用することができる電子機器の支持機構に関する。
【背景技術】
【０００２】
従来、電話機のロアーケースの底面には、安定して電話機を壁に取り付けるための突部が設けられるとともに、ロアーケースに対して回動可能に設けられているスタンドにより、電話機をデスク等の上面に傾けて載置して使用できるようになっている（特許文献１参照）。
特許文献１に記載の技術においては、スタンドの構造として、スタンドの中央に設けられた開口部を挟んで両側に脚部が設けられている。しかしながら、このような構造の場合には、向かい合わせにデスクが配置され、電話機をデスク等の上面で傾けて使用する際に、対向側のユーザからスタンドの開口部を通して突部等の電話機の裏側が見えるため、意匠性が悪かった。
【０００３】
このため、壁掛け用の突部をロアーケースの底面からスタンド背面に移すことにより、電話機を対向側から見た場合に、突部がスタンドの表面に隠れて見えないようにして、意匠性を改善することが考えられる。
【先行技術文献】
【特許文献】
【０００４】
【特許文献１】特開２００７−９６８７８号公報
【発明の概要】
【発明が解決しようとする課題】
【０００５】
しかしながら、突部がスタンドの表面に隠れて見えなくした構造においては、一方の突部がロアーケースの裏側に設けられ、もう一方の突部がスタンド側に設けられることになり、壁掛け時にはスタンドとロアーケースの係合部による係止だけで固定されている。このため、衝撃が加わってスタンドがロアーケースから脱落したときに、スタンドが壁に残され、電話機が一方の突部だけで係止されて、不安定な状態になるという問題があった。
【０００６】
本発明は、従来の問題を解決するためになされたもので、電子機器本体をスタンドを用いて載置面に傾斜させて使用する際に意匠性に優れ、かつ壁に取り付けて使用する際にはスタンドと電子機器本体とが外れることなく安定して取り付けることができる電子機器の支持機構を提供することを目的とする。
【課題を解決するための手段】
【０００７】
（１）本願発明に係る１つの態様は、電子機器本体の底面から突出して、立壁に取り付けられている上下一対の取付具に係止される一対の壁掛用取付部と、前記電子機器本体に設けられた軸受部により回動可能に支持された回動軸を有するとともに、水平な載置面に対して所定の傾斜角度を選択して傾斜支持するスタンドと、を有し、前記スタンドを開いて傾斜支持に用いる際の前記スタンドの前面を平面状に形成し、前記上下一対の壁掛用取付部のうちの上側の壁掛用取付部を前記スタンドの後面に設けるとともに前記軸受部に前記立壁に取り付けるときに前記スタンドを閉じた状態で固定する回動規制部を設けた電子機器の支持機構を提供する。
【０００８】
（２）上記（１）に記載の電子機器の支持機構において、前記スタンドは、前記電子機器本体の底面に設けられている回転中心を中心として０°から所定角度まで回動可能であるとともに、０°及び複数の所定角度で固定可能であってもよい。
【０００９】
（３）さらに、上記（１）又は（２）に記載の電子機器の支持機構において、前記スタンドは前記回転中心に沿った方向に往復移動可能であり、前記スタンドを前記回転中心に沿って一方の側へ移動させたときには傾斜角度０°で固定するとともに、前記回転中心に沿って他方の側へ移動させたときには所定の傾斜角度で固定可能であっても良い。
【発明の効果】
【００１０】
本発明は、電子機器本体をスタンドを用いて載置面に傾斜させて使用する際に意匠性に優れ、かつ壁に取り付けて使用する際にはスタンドと電子機器本体とが外れることなく安定して取り付けることができる電子機器の支持機構を提供できる。
【図面の簡単な説明】
【００１１】
【図１】（Ａ）は本発明に係る実施形態の電話機を壁に掛けた状態を示す側面図であり、（Ｂ）は壁側から見た電話機の後面を示す背面図である。
【図２】電話機の後面に取り付けられるスタンドを外した状態の電話機の背面図である。
【図３】（Ａ）は載置面に対して傾斜した状態で使用している電話機の断面図であり、（Ｂ）は（Ａ）中Ｂ方向から見た底面図である。
【図４】（Ａ）はスタンドを閉じたときのスタンド支持部の底面図であり、（Ｂ）は（Ａ）中Ｂ−Ｂ位置の断面図であり、（Ｃ）は（Ｂ）においてスタンドを除いたスタンド支持部の断面図であり、（Ｄ）は（Ｂ）におけるスタンドの断面図である。
【図５】（Ａ）はスタンドを閉じた状態のスタンド支持部の底面図であり、（Ｂ）は（Ａ）中Ｂ−Ｂ位置の断面図であり、（Ｃ）は（Ｂ）においてスタンドを除いたスタンド支持部の断面図であり、（Ｄ）は（Ｂ）におけるスタンドの断面図である。
【図６】（Ａ）はスタンドを２０°開いた状態のスタンド支持部の底面図であり、（Ｂ）は（Ａ）中Ｂ−Ｂ位置の断面図である。
【発明を実施するための形態】
【００１２】
（実施形態）
以下、本発明に係る実施形態の電子機器の支持機構について、図面を用いて説明する。なお、以下の説明においては、電子機器として電話機を用いる場合について説明する。また、電話機を壁掛で使用する際の上側「上」、下側を「下」、ダイヤルボタン等を有する面を「前」、壁側を「後」で表示する。
【００１３】
図１（Ａ）は本発明に係る実施形態の電話機を立壁に掛けた状態を示す側面図であり、図１（Ｂ）は壁側から見た電話機の後面を示す背面図である。また、図２は電話機の後面に取り付けられるスタンドを外した状態の電話機本体の背面図である。また、図３（Ａ）は載置面に対して傾斜した状態で使用している電話機の断面図であり、（Ｂ）は（Ａ）中Ｂ方向から見た底面図である。
なお、図４〜図６においては、卓上での使用状態を説明するための便宜上、天地を逆にして図示している。
【００１４】
図１（Ａ）及び図１（Ｂ）に示すように、電話機（電子機器）１は、電子部品（図示省略）を内部に収容する筐体１０を有している。筐体１０は、ロアーケース１１とアッパーケース１２とによって構成され、アッパーケース１２の前面には送受話器（図示せず）が取り付けられる。また、ロアーケース１１の後面には、机等の載置面Ｆ（図３（Ａ）参照）に傾斜して載置して使用する際（以後、「傾斜使用時」ともいう。）に用いられるスタンド３０が、回動可能に設けられている。
【００１５】
図２にも示すように、ロアーケース１１の底面１１ａの中央部には、スタンド支持部２０が、ロアーケース１１の幅方向に延設されている。スタンド支持部２０はロアーケース１１の底面１１ａから突出して設けられており、例えば台形断面のブロック状の支持部本体２１を有している。支持部本体２１の中央部、すなわち、ロアーケース１１の底面１１ａ中央部には、立壁Ｗに取り付けられている上下一対の取付具（図示省略）に係止される一対の壁掛用取付部１３、２２のうちの、下側で筐体１０側に設けられている壁掛用取付部１３が設けられている。
【００１６】
また、支持部本体２１の左右両端部には、支持部側支点２７が設けられており、ロアーケース１１の下端部における左右両隅部には、電話機１を傾斜して使用する際に載置面Ｆに載置される例えばゴム製のロアーケース支点１４が設けられている（図３（Ａ）参照）。なお、上側の壁掛用取付部２２については、スタンド３０の説明において詳述する。
【００１７】
支持部本体２１における壁掛用取付部１３を挟んだ両側には、スタンド３０を回転可能に支持する一対の軸受部２３、２３が形成されている。図４（Ａ）〜（Ｃ）に示すように、各軸受部２３にはスタンド３０を複数の傾斜角度に選択的に固定するためのギヤ部２４が形成されている。ギヤ部２４には、軸受部２３の中心である回転中心を中心とした円周上に沿って複数の嵌合部２４ａが設けられている。嵌合部２４ａは、スタンド３０の傾斜角度が、例えば、２０°、４０°、６０°となるように設けられており、嵌合部２４ａを選択することにより、スタンド３０の傾斜角度が選択される。
【００１８】
また、図５（Ａ）〜（Ｃ）に示すように、ギヤ部２４の隣り、ここでは、左隣には、電話機１を立壁Ｗに取り付けて使用する際（以後、「壁掛使用時」ともいう。）にスタンド３０を閉じた状態で固定するための回動規制部２５が設けられている。さらに、ギヤ部２４に対して回動規制部２５の反対側である右側には、スタンド３０を回動可能に支持する空間２６が設けられている。
【００１９】
図３（Ａ）及び図３（Ｂ）に示すように、スタンド３０は、電話機１を机等の載置面Ｆに傾斜して載置して使用する際に用いられるものであり、スタンド３０を開いて傾斜支持に用いる際のスタンド３０の前面３３は、平面状に形成されている。スタンド３０は樹脂により薄板に形成されているので、スタンド３０の後面３４には、多数のリブ３４ａが補強のため形成されている。また、スタンド３０の上端部における左右両隅部には、スタンド側支点３５、３５が設けられている。
【００２０】
スタンド３０の下端部（立壁Ｗに取り付けた状態で下端部、図１（Ａ）参照）には、回動軸３１が設けられている。回動軸３１は、ロアーケース１１の軸受部２３によって、回動可能に支持されるとともに所定距離だけ左右に往復移動可能に支持される。したがって、スタンド３０は、回動可能かつ左右に往復移動可能に支持されることになる。なお、回動軸３１には、スタンド３０の回動を規制する回動規制壁３２（図５（Ｄ）参照）及びスタンド３０を所定の傾斜角度に保持するための保持爪３６が設けられている（図４（Ｂ）及び（Ｄ）参照）。
【００２１】
スタンド３０の左右方向位置は、３種類選択可能となっており、中央位置においてのみスタンド３０は回動可能となる。そして、スタンド３０を閉じた状態（壁掛使用時）では、スタンド３０は中央位置から右側へのみ移動可能となり、左側へは移動できない。このとき、スタンド３０を右へ移動させることにより、スタンド３０に設けられている回動規制壁３２が軸受部２３の回動規制部２５に対向する（図５（Ｂ）参照）。これにより、スタンド３０は傾斜角度０°に固定され、壁掛使用に用いられる。なお、ロアーケース１１の底面１１ａのロアーケース支点１４の高さを調整することにより、載置面Ｆに平行に載置することも可能である（図１（Ａ）参照）。
【００２２】
そして、スタンド３０の開度を０°に固定した壁掛使用時のときには、スタンド３０の壁掛用取付部２２が、ロアーケース１１の壁掛用取付部１３の真上に位置する。また、スタンド３０の壁掛用取付部２２のロアーケース１１の底面１１ａからの突出量は、スタンド支持部２０の壁掛用取付部１３のロアーケース１１の底面１１ａからの突出量と等しく設定されている。これにより、電話機１を立壁Ｗに真っ直ぐに取り付けて使用することができる。なお、このとき、スタンド側支点３５及び支持部側支点２７が立壁Ｗに当接するようにすると、電話機１は安定して取り付けられる。
【００２３】
また、スタンド３０を中央位置に置いた状態でスタンド３０を回動させ、設定されている傾斜角度のうちの所望の傾斜角度までスタンド３０を回動させる。この状態では、スタンド３０は左方向へのみ移動可能となり、スタンド３０を左方向へ移動させることにより、スタンド３０の保持爪３６を軸受部２３のギヤ部２４に設けられている嵌合部２４ａに嵌合させる。これにより、スタンド３０を所望の角度に固定することができる。なお、保持爪３６を嵌合部２４ａに嵌合させた状態では、スタンド３０は左右方向への移動が規制される。
【００２４】
次に、電話機１の設置について説明する。
まず、電話機１を立壁Ｗに取り付けて壁掛使用する場合には、スタンド３０を軸受部２３に対して中央に移動させて、スタンド３０を回動可能な状態とする。そして、スタンド３０を回動軸３１を中心として回動させて、スタンド３０の前面３３がロアーケース１１の底面１１ａに対向するようにする。この状態で、スタンド３０を右方向へ移動させる。これにより、スタンド３０に設けられている回動規制壁３２が軸受部２３の回動規制部２５に対向するので、開度０°に固定される。そして、このとき、スタンド３０の壁掛用取付部２２が、ロアーケース１１の壁掛用取付部１３の真上に位置するので、壁掛用取付部１３、２２を立壁Ｗに取り付けられている取付具（図示省略）に取り付ける。これにより、電話機１を立壁Ｗに真っ直ぐに取り付けることができる。
【００２５】
そして、電話機１を載置面Ｆに対して所定角度傾斜して使用する場合には、スタンド３０を軸受部２３に対して中央に移動させて、スタンド３０を回動可能な状態とする。この状態で、スタンド３０を所定の角度だけ回動させ、この角度を保持したままスタンド３０を左方向へ移動させる。これにより、スタンド３０の保持爪３６を軸受部２３のギヤ部２４に設けられている嵌合部２４ａに嵌合させて、スタンド３０を固定する。
【００２６】
以上、説明した本発明の実施形態の電話機１の支持機構によれば、筐体１０に回動可能に支持されるスタンド３０の前面３３を平面状に形成するとともに、スタンド３０を開いて傾斜支持に用いる際の上下一対の壁掛用取付部１３、２２のうちの上側の壁掛用取付部２２をスタンド３０の後面３４に設けた。このため、スタンド３０を開いて載置面Ｆに対して傾斜した状態で使用する際に、前方からはスタンド３０の前面３３が見えるので、意匠性に優れる。また、スタンド３０は、筐体１０に設けられた軸受部２３により回動可能に支持された回動軸３１を有するとともに軸受部２３には立壁Ｗに取り付けるときにスタンド３０を閉じた状態で固定する回動規制部２５を設けた。このため、立壁Ｗに取り付けて使用する際に、電話機１からスタンド３０が外れることなく安定して取り付けることができる。
【００２７】
また、本実施形態の電話機１の支持機構によれば、スタンド３０は、電話機１のロアーケース１１の底面１１ａに設けられている軸受部２３を中心として０°から所定角度まで回動可能であるとともに、０°及び複数の所定角度で固定可能である。このため、壁掛使用及び載置面Ｆに所定角度傾斜した使用が可能になる。
【００２８】
また、本実施形態の電話機１の支持機構によれば、スタンド３０は回動軸３１に沿った方向に往復移動可能であり、スタンド３０を回動軸３１に沿って一方の側へ移動させたときには傾斜角度０°で固定するとともに、回動軸３１に沿って他方の側へ移動させたときには所定の傾斜角度で固定可能である。このため、壁掛使用時及び傾斜使用時に、スタンド３０を所望の角度に固定することができる。
【００２９】
以上、本発明の電子機器の支持機構について、具体的な実施形態に基づいて説明してきたが、本発明は、前述した具体的な実施形態に限定されるものでなく、本発明の技術思想を逸脱しない範囲における様々な変形及び改良を行ってもよいことは言うまでもない。
例えば、前述した実施形態においては、電子機器としての電話機１について例示したが、これに限定するものではなく、壁掛使用及び載置面に傾斜して使用するその他の電子機器についても適用可能である。
【００３０】
また、前述した実施形態においては、スタンド３０の傾斜角度を、２０°、４０°、６０°の３種類としたが、この角度に限るものではない。また、３種類以上の傾斜角度を設けることも可能である。
【００３１】
このように、技術思想を逸脱しない範囲における様々な変形や改良を行ったものも本発明の技術的範囲に含まれるものであり、そのことは、当業者にとって、特許請求の範囲の記載から明らかである。
【符号の説明】
【００３２】
１  電話機（電子機器）
１０  筐体（電子機器本体）
１１ａ  底面
１３  壁掛用取付部
２２  壁掛用取付部（上側の壁掛用取付部）
２３  軸受部
２５  回動規制部
３０  スタンド
３３  前面
３４  後面
Ｆ  載置面
Ｗ  立壁
【図１】
2018181994.tif 000003
【図２】
2018181994.tif 000004
【図３】
2018181994.tif 000005
【図４】
2018181994.tif 000006
【図５】
2018181994.tif 000007
【図６】
2018181994.tif 000008